(57)【要約】【課題】精神病院、刑務所又は警察の留置場等向けに、紐を用いた自殺を防止できるような手摺を提供する。【解決手段】壁面に取り付けられる帯状のベース板部２と、該ベース板部２の表面に長手方向に立設する立板部３と、該立板部３の上縁部より側方に突設する横板部４と、これらベース板部２と立板部３と横板部４の端末に接続した蓋部５と、前記横板部４の先端部に連設し前記蓋部５間にわたって形成されている握り部６とからなる。【選択図】図１
2013117106.tif 000002
【特許請求の範囲】
【請求項１】
壁面に取り付けられる帯状のベース板部と、該ベース板部の表面に長手方向に立設する立板部と、該立板部の上縁部より側方に突設する横板部と、これらベース板部と立板部と横板部の端末に接続した蓋部と、前記横板部の先端部に連設し前記蓋部間にわたって形成されている握り部とからなる手摺。
【請求項２】
前記立板部は、前記横板部側の上側辺を前記ベース板部側の下側辺より短い台形に形成され、前記蓋部の外表面を傾斜するようにした請求項１に記載の手摺。
【請求項３】
前記握り部は、前記横板部の先端部にその全長にわたって連設している請求項１又は請求項２に記載の手摺。
【請求項４】
前記握り部は、断面コ字状に形成され、その内方の側板の先端部に断面Ｕ字状の指係止部を形成すると共に、外方の側板と前記横板部との連設部に親指押圧部を形成した請求項３に記載の手摺。
【発明の詳細な説明】
【技術分野】
【０００１】
本発明は、精神病院、刑務所又は警察の留置場等において使用に安全な手摺に関する。
【背景技術】
【０００２】
従来、例えば、階段、廊下、トイレ、浴室等の壁面に取り付けられる手摺として、表面側に開口し、所定の幅及び深さを有する収容部を長手方向に形成すると共に、適宜前記開口の縁部が壁面と略面一になるように埋設固定する構造を有する長尺の筐体と、この筐体の前記収容部の形成方向に添って配設固定されると共に、横断面形状における内側部分の略半分が前記収容部内に収まるように支持してなる手摺本体とからなるものが知られている（特許文献１参照。）。
【先行技術文献】
【特許文献】
【０００３】
【特許文献１】特開２０００−３１４２２１号公報
【発明の概要】
【発明が解決しようとする課題】
【０００４】
手摺が人体に当るようなことを防ぐ安全性を考慮したこの従来の手摺であっても、精神病院や刑務所等において、着衣等をほどいて紐状体にして該紐状体を、前記長尺の筐体内に支持した手摺本体に係止し、この紐状体を首に巻付けて自殺を図るおそれがる問題点があった。
【０００５】
本発明はこのような問題点を解消し安全で構造簡単な手摺を提供することを目的とする。
【課題を解決するための手段】
【０００６】
本発明はこの目的を達成すべく、壁面に取り付けられる帯状のベース板部と、該ベース板部の表面に長手方向に立設する立板部と、該立板部の上縁部より側方に突設する横板部と、これらベース板部と立板部と横板部の端末に接続した蓋部と、前記横板部の先端部に連設し前記蓋部間にわたって形成されている握り部とからなる。
【発明の効果】
【０００７】
本発明によれば、手摺に紐状体を係止しようとしても該紐状体が係止不能で外れてしまうので、該紐状体を利用して自殺を図るおそれがなく安全であり、又構造が簡単である効果を有する。
【図面の簡単な説明】
【０００８】
【図１】本発明の実施例１の手摺の一部を省略して示した正面図である。
【図２】該手摺の一部を省略して示した右側面図である。
【図３】該手摺の一部を省略して示した左側面図である。
【図４】該手摺の平面図である。
【図５】図１のＩ−Ｉ線截断面図である。
【図６】本発明の実施例２の手摺の一部を省略して示した正面図である。
【図７】該手摺の一部を省略して示した右側面図である。
【図８】該手摺の一部を省略して示した左側面図である。
【図９】該手摺の平面図である。
【図１０】図６のＩＩ−ＩＩ線截断面図である。
【発明を実施するための形態】
【０００９】
本発明を実施するための形態の実施例を以下に示す。
【実施例１】
【００１０】
本発明の実施例１を図１乃至図５により説明する。
【００１１】
図１は本実施例１の手摺１の一部を省略して示した正面図、図２は該手摺の一部を省略して示した右側面図、図３は該手摺の一部を省略して示した左側面図、図４は該手摺の平面図、図５は図１のＩ−Ｉ線截断面図である。
【００１２】
１は手摺を示し、該手摺１は、ベース板部２と立板部３と横板部４と蓋部５と握り部６とからなり、前記ベース板部２は壁面に止めネジその他の手段により取り付け可能な帯状板により形成され、又、前記立板部３は、下側辺が前記ベース板部２の長手方向と同一の長さで、上側辺が該下側辺より短い台形の板状体からなり、前記下側辺において前記ベース板部２の長手方向の一方の側縁に突設されており、又、前記横板部４は、前記立板部３の上側辺と同一の長さで且つ前記ベース板部２よりも幅の狭い帯状板からなり、前記立板部３の上側辺に前記ベース板部２に平行に側方に突設している。
【００１３】
前記握り部６は図５に示す如く断面がコ字状に曲折した中間板部６ａと、該中間板部６ａの内方の側板の先端部を断面Ｕ字状に曲折して形成した指係止板部６ｂと、前記中間板部６ａの外方の側板の先端部を前記横板部３の先端部に連設した該連設部に形成の親指押圧部６ｃとからなる。
【００１４】
前記蓋部５は、上端縁が前記横板部４とこれに全長にわたり連設する握り部６の長手方向の左右の端末に連設すると共に下端縁が前記ベース板部２の長手方向の左右の端末に連設し且つ側縁が前記立板部３の左右の傾斜する側辺に連設した傾斜する外表面に形成され、これら両蓋部５により前記ベース板部２と前記横板部４間に空間部７が形成されている。
【００１５】
ここで本実施例１において、手摺１はステンレス鋼板をプレス加工して得られた前記ベース板部２と前記立板部３と前記横板部４と前記握り部６と、これらに溶着した前記蓋部５とからなる。
【００１６】
従って、鋼板の所定の形状の切断とプレス加工と溶接により手摺１を容易に製作できる。
【００１７】
次に本実施例の手摺１の使用方法及びその効果について説明する。
【００１８】
本発明の手摺１は、精神病院、刑務所又は警察の留置場等において、階段や廊下に沿って取り付けたり、又はトイレや浴室に取り付けたりする。
【００１９】
手摺１の取り付けにおいては、ベース板部２に多数設けたネジ孔にネジ等を挿通して、壁面に螺着し、該ベース板部２を該壁面に固定する。
【００２０】
そして利用者が、ベース板部２と握り部６との間の開口部より空間部７に指を差し込んで握り部６を握ることにより手摺１を使用できる。
【００２１】
即ち、握り部６を握るときに、親指以外の人差指等の指を廻り込むようにして指係止部５ｂをつかむと共に親指により前記親指押圧部５ｃを押圧して、手で握り部６を確実に握ることができる。
【００２２】
又、前記立板部３はベース板部２側が前方に位置する横板部４側より長い台形に形成して前記蓋部５の外表面を傾斜面に形成したので、手摺１の外表面に紐状体を掛ける凹凸が存在しない。
【００２３】
更に、前記握り部６は横板部４にその全長にわたり連設して一体に形成されていると共に、該握り部６の両端が前記左右の蓋部５に接続しているので、紐状物を握り部６に廻り込むようにして係止することもできない。
【００２４】
従って、紐状体を手摺１に係止できず、該紐状体を利用して自殺を図ることができず、自殺者の出るおそれのある精神病院や刑務所又は警察の留置場等での使用に適している。
【実施例２】
【００２５】
本発明の実施例２を図６乃至図１０により説明する。
【００２６】
図６は本実施例の手摺１Ａの一部を省略して示した正面図、図７は該手摺の一部を省略して示した右側面図、図８は該手摺の一部を省略して示した左側面図、図９は該手摺の平面図、図１０は図６のＩＩ−ＩＩ線截断面図である。
【００２７】
本実施例２において、ベース板部２と立板部３と横板部４の構成は前記実施例１と同様であり、蓋部５Ａと握り部６Ａの構成が相違する。
【００２８】
即ち、蓋部５Ａは、上端縁が前記横板部３の長手方向の左右の端末に連設されていると共に下端縁が前記ベース板部２の長手方向の左右の端末に連設され、更に側縁が前記立板部３の左右の傾斜する側辺に連設して傾斜面に形成され、前記ベース板部２と前記横板部３間においてこれらの端部間に閉塞する空間部７を形成するようにした。
【００２９】
前記握り部６Ａは、断面がコ字状に曲折した中間板部６Ａａと、該中間板部６Ａａの内方の側板の先端部を断面Ｕ字状に曲折して形成した指係止板部６Ａｂと、前記中間板部６Ａａの外方の側板の先端部と前記横板部３の先端部間を連設した連設部をヘ字の凹状に変形して形成した親指押圧部６Ａｃとからなる。
【００３０】
そして前記握り部６Ａはその両端部において前記蓋部５Ａの内面に接続して前記空間部７内に配設されている。
【００３１】
本実施例２においても、握り部６Ａを握るときに、親指以外の人差指等の指を廻り込むように前記指係止部６Ａｂをつかむと共に親指が前記親指押圧部６Ａｃを押えるので、手で握り部６Ａを確実に握ることができる。
【００３２】
又、手摺１Ａの外表面に紐状体を掛ける凹凸が存在せず、又、握り部６Ａが横板部４に連設して一体に形成されていると共に、該握り部６Ａの両端が左右の蓋部５Ａの内面に接続しているので、紐状物を握り部６Ａに廻り込むようにして係止することもできない。
【００３３】
尚、前記実施例では手摺１、１Ａをステンレス鋼板により製作する例を示したが、他の鋼板或いは強化プラスチックにより製作してもよい。
【００３４】
又、前記実施例では、立板部をベース板部の長手方向の一方の側縁に突設した例を示したが、立板部をベース板部の中間部に突設してもよい。
【００３５】
又、前記実施例では手摺の両方の端部を蓋部で閉塞した例を示したが、一方の端部を蓋部の代りに直接床面又は天井面に結着するようにしてもよい。
【産業上の利用可能性】
【００３６】
本発明の手摺は、精神病院、刑務所又は警察の留置場等において主として自殺防止の目的で利用される。
【符号の説明】
【００３７】
１      手摺
１Ａ    手摺
２      ベース板部
３      立板部
４      横板部
５      蓋部
５Ａ    蓋部
６      握り部
６Ａ    握り部
【図１】
2013117106.tif 000003
【図２】
2013117106.tif 000004
【図３】
2013117106.tif 000005
【図４】
2013117106.tif 000006
【図５】
2013117106.tif 000007
【図６】
2013117106.tif 000008
【図７】
2013117106.tif 000009
【図８】
2013117106.tif 000010
【図９】
2013117106.tif 000011
【図１０】
2013117106.tif 000012